(57)【特許請求の範囲】
【請求項１】
筒状の容器に収納されているモルタルを、ガンタイプの押出器で押し出して穴埋めする道具であって、前記の筒状の容器の側壁を開けて補充穴を形成すると共に、モルタルを収納して前記補充穴を閉じた状態に蓋板を固定すべく、前記筒状の容器に被せた状態でスライドし又は回して閉じる半円筒状の蓋板を備えており、前記筒状容器の直径の位置を越えて狭まる形状であることを特徴とする穴埋め器。
【請求項２】
前記の容器の先端にノズルを有し、ガンタイプのレバーを引くと、手前の開口から挿入したピストン体が前進して、一定量のモルタルを間欠的に押し出す構造を特徴とする請求項１に記載の穴埋め器。
【請求項３】
前記の容器の内面と摺接するＯリングを、ピストン体の前記ノズル側の端部に設けてあることを特徴とする請求項１又は請求項２に記載の穴埋め器。
【発明の詳細な説明】
【技術分野】
【０００１】
コンクリート造の建造物を建築する際に壁厚を一定にするセパレータの後穴すなわちピーコン穴をモルタルで円滑に埋める道具に関する。
【背景技術】
【０００２】
建築工事などに際してシーリング剤を充填するに当たって、特許文献１などのようなガンタイプの道具で能率的に行われている。ところが、ピーコン穴をモルタルで埋めるには、いちいち人手でコテを用いて充填し仕上げているので、能率が悪い。特に、ピーコン穴は多数できるので、影響は甚大であり、昨今のように人手不足の状況下では、重大である。
【先行技術文献】
【特許文献】
【０００３】
【特許文献１】特開2002−159900号公報
【発明の概要】
【発明が解決しようとする課題】
【０００４】
しかしながら、特許文献１のように、粘度が一定のシーリング剤を充填するにはガンタイプも可能だが、モルタルを用いる場合は、施工現場や工事業者の違いによって粘度が大きく異なる場合が多い。このように粘度が異なり、水分が少ないと、ガンタイプの道具に適用するパイプ状の容器に一端から収納するのは困難であり、能率的でない。
本発明の技術的課題は、このような問題に着目し、モルタルをガンタイプの道具で押し出すが、モルタルの硬さと関係なしに容器筒体の側部を開閉して補充可能とすることにある。
【課題を解決するための手段】
【０００５】
本発明の技術的課題は次のような手段によって解決される。請求項１は、筒状の容器に収納されているモルタルを、ガンタイプの押出器で押し出して穴埋めする道具であって、前記の筒状の容器の側壁を開けて補充穴を形成すると共に、モルタルを収納して前記補充穴を閉じた状態に蓋板を固定すべく、前記筒状の容器に被せた状態でスライドし又は回して閉じる半円筒状の蓋板を備えており、前記筒状容器の直径の位置を越えて狭まる形状であることを特徴とする穴埋め器である。
【０００６】
請求項２は、前記の容器の先端にノズルを有し、ガンタイプのレバーを引くと、手前の開口から挿入したピストン体が前進して、一定量のモルタルを押し出す構造を特徴とする請求項１に記載の穴埋め器である。
【０００７】
請求項３は、前記の容器の内面と摺接するＯリングを、ピストン体の前記ノズル側の端部に設けてあることを特徴とする請求項１又は請求項２に記載の穴埋め器である。
【発明の効果】
【０００８】
請求項１のように、筒状の容器に収納されているモルタルを、ガンタイプの押出器で押し出して穴埋めする道具において、前記の筒状の容器の側壁を開けて補充穴を形成するため、モルタルは、側壁の補充穴から入れる。従って、筒状の容器中のピストンを抜いて、容器の端部から入れる構造と違って、側壁には大きな補充穴を開けられるので、モルタルの水分が少なく例え固いモルタルでも、比較的容易に収納できる。
また、モルタルを収納して前記補充穴を閉じた状態に蓋板を固定すべく、前記筒状の容器に被せた状態でスライドし又は回して閉じる半円筒状の蓋板を備えており、しかも前記筒状容器の直径の位置を越えて狭まる形状であることは、段落「0014」の末尾ないし段落「0015」の第１及び第２段落に明記されている。すなわち、半円筒状の蓋板自身の弾力を利用して固定でき、特別の保持力を要しない。
【０００９】
請求項２のように、前記の容器の先端にノズルを有し、ガンタイプのレバーを引くと、手前の開口から挿入したピストン体が前進して、一定量のモルタルを前記ノズルの先端から押し出して穴埋めするので、穴の中に空洞が出来ることもなく、確実に穴を埋められる。
【００１０】
請求項３のように、前記の容器の内面と摺接するＯリングを、ピストン体の前記ノズル側の端部に設けてあるので、モルタル中の砂などの異物が前記ピストン体と容器内面との間に挟まって、円滑に動作しない問題が解消される。
【図面の簡単な説明】
【００１１】
【図１】本発明によるピーコン穴埋め器の動作を示す断面図である。
【図２】図１のピーコン穴埋め器の全容を示す斜視図である。
【図３】本発明の要部を示すピーコン穴埋め器の側面図である。
【図４】図４のＡ−Ａ断面図である。
【発明を実施するための形態】
【００１２】
次に本発明によるピーコン穴埋め器が実際上どのように具体化されるか実施形態で説明する。図１はピーコン穴埋め器の動作を示す図で、筒状容器１は断面図で表示してある。この筒状容器１は、半円筒状のホルダー２中に保持され、先端のストッパー３で外れないように、保持されている。
図２は、全容を示す斜視図で、本体４に保持されている中心軸棒５は、先端に固定されたディスク６とナット７間にピストン円板８と固定円板９とが固定され、ピストン円板８と固定円板９との間に可撓性のＯリング１０が挟持され、このＯリング１０が筒状容器１の内面と摺接する。
【００１３】
本体４の後端から延びた吊り板に吊り下げ支持された前後揺動板ｌと本体４間のコイルばねS1と本体４後壁と前後駆動厚板１１と強コイルばねS2とホルダー中壁とを、前記の中心軸棒５が貫通している。
いま、本体４から下方に延びた握りＡを手に持って、引き金状のレバーＬを引くと、支軸の上側で前後駆動厚板１１の下端が強コイルばねS2に抗して押し倒されるので、この際に、前後駆動厚板１１と中心軸棒５との摩擦力で中心軸棒５が１ストローク前進し、ピストンＰが押されてＯリング１０を前進させる。この際に、筒状容器１中のモルタルＭが、先端のノズルＮから押し出されて、建築物のピーコン穴に充填されて穴埋めされる。
１ストローク分のモルタルを使い終えると、レバーＬを戻して、再度引くと、モルタルＭが押し出されるので、この動作の繰り返しで、収納されているモルタルを使い切るまで連続的に作業できる。
【００１４】
モルタルＭが無くなると、手前の前後揺動板ｌを押して、コイルばねＳ１を圧縮すると、制動力が解除されるので、中心軸棒５の後端のフックｆを引くと、ピストンＰが後退して筒状容器１中から抜き出される。この状態で、筒状容器１中に後端からモルタルＭを補充できる。しかし、水分の多い流動性の高いモルタルに限られ、水分の少ない、流動性の悪いモルタルの場合は困難である。
施工現場によって、あるいは施主によって、水分の少ない固いモルタルを使用する場合もあるが、そのような場合でも円滑に筒状容器１中に収納できるように、図３、図４のように、筒状容器１の側壁を開けて補充穴１２を形成し、モルタルの補充後に円弧状蓋板１３を回して閉じる。補充穴１２の大きさや位置は、好みに応じて選択できる。
【００１５】
図４の場合は、円弧状の蓋板１３の両端が筒状容器１の最大直径の位置を越えて、今度は小さくなっているので、自身の弾力を利用でき、特別の保持力を要しない。
この円弧状蓋板１３は、補充穴１２の位置でスライドさせてもよい。すなわち、補充穴１２の位置でスライドさせ、補充穴１２から退避させて開口させた状態でモルタルＭを入れ、その後に円弧状蓋板１３を逆方向にスライドし元に戻して閉じる。
円弧状蓋板１３が、筒状容器１の最大直径の位置を越えないような小形の場合は、自身の弾力を利用できないので、補充穴１２の上に被せた円弧状の蓋板の上から輪ゴムを掛けて保持させることもできる。或いは、この円弧状の蓋板の一端をヒンジ機構を介して筒状容器１に取付け、蓋板を閉じてから、他端をフック手段などで筒状容器１に固定することも可能である。
なお、筒状容器１を半円筒状のホルダー２と同じ材質にして一体化することもでき、ピストンＰは安定性を良くするために容器状の側壁を持たせてあるが、必ずしも必要ではない。
【産業上の利用可能性】
【００１６】
以上のように、ガンタイプの押出器に適用される筒状容器の側壁を開口させてモルタルを補充する構造であるから、開口を大きくもでき、如何なる状態のモルタルにも対応できる。また、モルタルを押し出すピストンの先端側に配設した可撓性のＯリングが筒状容器の内面と摺動するので、砂などの異物が挟まる問題が解消される。
【符号の説明】
【００１７】
１  筒状容器
２  ホルダー
３  ストッパー
４  本体
５  中心軸棒
６  ディスク
７  ナット
８  ピストン円板
９  固定円板
Ｐ  ピストン
10  可撓性のＯリング
ｌ  前後揺動板
S1  コイルばね
11  前後駆動厚板
S2  強コイルばね
Ａ  握り
Ｌ  引き金レバー
Ｍ  モルタル
Ｎ  ノズル
ｆ  フック
12  補充穴
13  円弧状蓋板
【要約】
【課題】モルタルをガンタイプの道具で押し出すが、モルタルの硬さと関係なしに容器筒体の側部を開閉して、モルタルを補充可能とする。
【解決手段】筒状の容器に収納されているモルタルを、ガンタイプの押出器で押し出して穴埋めする道具において、前記の筒状の容器の側壁を開閉できるように側穴を開け、モルタルを前記側穴から入れて、閉じた状態に蓋を固定する手段を備えている。そのため、モルタルは側穴から入れるが、筒状の容器中のピストンを抜いて、容器の端部から入れる構造と違って、側部には大きな穴を開けられるので、モルタルの水分が少なく例え固いモルタルでも、比較的容易に収納できる。
【選択図】図３【図１】
0005702497.tif 000002
【図２】
0005702497.tif 000003
【図３】
0005702497.tif 000004
【図４】
0005702497.tif 000005